(57)【要約】【課題】  操作の複雑なパソコンを使用しないで、高価な設備を必要とせずに、高齢者でも容易に操作が出来、小さな寺院等においても簡単に高品質の卒塔婆を作成出来る印刷装置の実現が要望されている。【解決手段】  本発明は、白色の紙の上に熱吸収性を有するインキで文字等が書かれた印刷マスターと印刷の行われる印刷媒体の間に、熱転写インキシートを挿んで一体にその上面にセットし、印刷マスターへ赤外線を照射と、上部からプレスローラーにて印刷媒体に圧力をかけ印刷マスターのインキでが書かれた文字等を転写するようにした感熱式印刷機を実現することによりの問題点を解決したものである。【選択図】              図１
2005160563.tif 000002
【特許請求の範囲】
【請求項１】
光の透過性の良い紙またはフィルム等の上に墨汁等の熱吸収性を有するインキで文字等が書かれた印刷マスターと該印刷マスターの印刷の行われる印刷媒体との間に、光透過性を有するベースに感熱インキが塗布された熱転写インキシートを挿んだ印刷セットが上面にセットされる印刷機本体と、
印刷マスターの上に赤外線を照射しながら、印刷マスターの一端から他端まで両方向に移動可能に印刷機本体に設置されたコピーへットとを具備し、
印刷時には、コピーへットが印刷マスターの一端から他端へ赤外線を照射を行うとともに、印刷マスターの上部からプレスローラーにて印刷媒体に圧力をかけながら移動するようにして印刷媒体の表面に印刷マスターの墨汁等の熱吸収性を有するインキでが書かれた文字等を転写するようにした感熱式印刷機。
【請求項２】
光の透過性の良い紙またはフィルム等の上に墨汁等の熱吸収性を有するインキで文字等が書かれた印刷マスターと印刷の行われる印刷媒体の間に、光透過性を有するベースに感熱インキが塗布された熱転写インキシートを挿んだ印刷セットが上面にセットされる印刷機本体、
該印刷機本体にセットされた印刷マスターの一端から他端まで両の方向に移動可能に設置され、印刷マスターの上から赤外線を照射するコピーへット、
印刷機本体側面に設けられた、スタートボタン、定着ボタン、インキシート巻取ボタン、
印刷機本体に設置されたインキシートの送り出しローラとインキシートの巻き取りローラを具備し、
スタートボタンを押すことにより、コピーへットが赤外線を照射した後印刷マスターの上部からプレスローラーにより印刷媒体に圧力をかけながら、印刷マスターの一端から他端への移動することにより印字を行い、
印字終了後、定着ボタンを押すことにより、コピーへットが反転移動を開始し、反転時に定着用の赤外線を印刷媒体に照射しながら印刷媒体に印字された文字等を定着させスタート位置に停止し、
印刷媒体を取り出した後、インキシート巻取ボタンを押すことにより、使用済みのインキシートをインキシートの巻き取りローラに巻き込み、未使用のインキシートをインキシートの送り出しローラより引き出して印刷マスターの下にセットするようにした感熱式印刷機。
【請求項３】
請求項１乃至２において、コピーへットは、
インキシートに塗布されている感熱インキを溶融させるための熱エネルギーを発生する赤外線ランプと、
該赤外線ランプを囲むように設けられた反射鏡と、
反射鏡に蓄積されたる熱が印刷マスターに直接伝わらなように反射鏡と印刷マスターとの間に設けられたブレードと、
赤外線ランプの熱エネルギーにより溶けたインキシートの感熱インキを印刷媒体に転写するプレスローラーと、
赤外線ランプによる放射熱によりプレスローラーが加熱されるのを防止する遮蔽板と、
冷風を送る冷却ファンと、
定着用の赤外線ランプと、
定着用の赤外線ランプの反射板と、
印刷マスターとインキシートにテンションを与えるスライド板とを具備することを特徴とする感熱式印刷機。
【請求項４】
請求項１乃至３において、印刷媒体が卒塔婆板であることを特徴とする感熱式卒塔婆印刷機。
【発明の詳細な説明】
【技術分野】
【０００１】
本発明は、手書の文字や図形等をそのまま印刷することが出来る感熱式印刷機に関するものである。
本発明の感熱式印刷機は、板や厚紙などへの印刷が可能で、特に寺院で高品質の卒塔婆板を容易に作成することが出来る。
【背景技術】
【０００２】
現在全国の寺院で作成される卒塔婆は、全部の文字を毛筆で手書きするものが約５０％程度ある。又、卒塔婆製造業者がスクリーン印刷で１部分を印刷（共通文字梵語等）して、寺院にその都度納品している卒塔婆が約５０％程度であるが、この場合も戒名や年月日等は必要な枚数分を毛筆で手書きをして完成させている。
卒塔婆に手書きをする場合には、誤字等の間違った書き込みが行われることも多々あり、このような場合には高価な卒塔婆板を破棄しなければならなかった。又、毛筆で手書きされた卒塔婆は、書き手によりその品質が左右され、だれでも優れた品質の卒塔婆を作成できるものではなく、最近では毛筆を使用してきれいな文字が書ける人も少なくなっている。
このような状況を考慮して、最近はパソコンを使用し、インキジェットプリンターを改造したものと組み合わせて、卒塔婆専用印刷機として販売されているものがあるが、印刷スピードが遅のと、卒塔婆板は業者指定品や高品質の卒塔婆板が要求されることが多いので、その使用市場が限定されているため設備が高価になるだけでなく、住職が高齢な場合はパソコン操作が出来ないために、使用できないのが現状である。
【特許文献１】特開２０００３−１１１６６２号公報，
【発明の開示】
【発明が解決しようとする課題】
【０００３】
このため、操作の複雑なパソコンを使用しないで、高価な設備を必要とせずに、高年齢者でも容易に操作が出来、小さな寺院等においても簡単に高品質の卒塔婆を作成出来る印刷装置の実現が要望されている。
【課題を解決するための手段】
【０００４】
本発明は、光の透過性の良い紙またはフィルム等の上に墨汁等の熱吸収性を有するインキで文字等が書かれた印刷マスターと該印刷マスターの印刷の行われる印刷媒体との間に、光透過性を有するベースに感熱インキが塗布された熱転写インキシートを挿んだ印刷セットが上面にセットされる印刷機本体と、印刷マスターの上に赤外線を照射しながら、印刷マスターの一端から他端まで両方向に移動可能に印刷機本体に設置されたコピーへットとを具備し、印刷時には、コピーへットが印刷マスターの一端から他端へ赤外線を照射を行うとともに、印刷マスターの上部からプレスローラーにて印刷媒体に圧力をかけながら移動するようにして印刷媒体の表面に印刷マスターの墨汁等の熱吸収性を有するインキでが書かれた文字等を転写するようにした感熱式印刷機を実現することにより、従来の卒塔婆作成の問題点を解決したものである。
本発明の感熱式印刷機により作成された卒塔婆は、乾式インキを使用しているため手や衣服を汚すことがなく、又、直書きマスターを使用しているために全面印刷や必要な箇所に刷込印刷も出来、パソコンのプリンター（機種指定）から出力した原稿を印刷マスターとして使用する事も可能である。
【発明の効果】
【０００５】
本発明の感熱式印刷機は、パソコン等を使用せずに、光の透過性の良い紙またはフィルム等（卒塔婆と同サイズ）に墨汁や摺り墨を使用して毛筆で直書きしたマスターを印刷機にセットし、現在使用されている卒塔婆板（専用品を必要とせず）を印刷機の指定位置にセットして印刷開始ボタンを押すだけの簡単な操作で印刷を行うことが出来る。
本発明の感熱式印刷機により作成された卒塔婆は、乾式インキを使用しているため手や衣服を汚さないのと同時に、直書き印刷マスターを使用するようにしたため全面印刷や必要な箇所に刷込印刷も出来る、また、パソコンのプリンターから出力した原稿を印刷マスターとして使用する事も可能である。
本発明の感熱式印刷機は大規模な設備投資を必要とせずに容易に構築出来、卒塔婆板は、現在使用されている最長の６尺〜３尺までのサイズと、厚さ１〜１０ｍｍ以内で有れば材質は指定しないので、この印刷機の市場は広い。
【発明を実施するための最良の形態】
【０００６】
以下、本発明の感熱式印刷機の実施形態について説明する。
図１は、本発明の感熱式印刷機の印刷原理示す説明図である。
図１において、１は、光の透過性の良い紙またはフィルム等の印刷マスターである。２は、印刷マスター１の上に墨汁等の熱吸収性を有するインキで書かれた文字などである。３は、熱転写インキシートで、光透過性を有するベース４と、ベース４に塗布された感熱インキ５により構成されている。６は、印刷の行われる卒塔婆板である。７は、感熱インキ５溶融するための赤外線である。
印刷を行う場合には、墨汁等の熱吸収性を有するインキ２で、文字等の書かれた印刷マスター１と、印刷の行われる卒塔婆板６の間に、熱転写インキシート３を挿んで一体にセットし、このセットした印刷マスター１の上から赤外線７を照射する。
印刷マスター１の上から赤外線７を照射すると、印刷マスター１の白地部分と、墨汁等の熱吸収性を有するインキ２で書かれた部分に温度差が生じる。印刷マスター１の墨汁等熱吸収性を有するインキ２で書かれた部分が高温になり、この熱が印刷マスター１と熱転写インキシート３の斜線の部分を通して熱吸収性を有するインキ２に伝達され感熱用インキが溶け、セットした印刷マスター１の上部からローラーにてプレスをかけることにより印刷マスター１に墨汁等の熱吸収性を有するインキ２で書かれた文字等が卒塔婆板６の表面に転写される。
【０００７】
図２は、本発明の感熱式印刷機の具体的な構成と動作を示す説明図である。
図２の（ａ）は、本発明の感熱式印刷機の印刷開始時の状態を示し、（ｂ）は、印字が終了時の状態を示したものである。
図２の（ａ）（ｂ）において、１０は印刷マスター１の上から赤外線７を照射するコピーへットである。コピーへット１０の詳細な構成は図３において説明する。２０は印刷機本体である。印刷機本体２０は、その上面に図１で説明した印刷マスター１と、印刷の行われる卒塔婆板６の間に、熱転写インキシート３を挿んで一体にしたセットが置かれ、その上部をコピーへット１０が、印刷機本体の右端から左端まで左右の方向に移動可能に設置されている。印刷機本体２０には、その側面に、印刷機を操作するためのスタートボタン２１、定着ボタン２２、インキシート巻取ボタン２３、印刷スピードダイアル２４が設けられている。
また、印刷機本体２０の左右端には、インキシートの送り出しローラ３１とインキシートの巻き取りローラ３２が設置されている。
【０００８】
本発明の感熱式印刷機の動作は次のように行われる。
印刷スピードダイアル２４により、印刷条件に応じたコピーへット１０の移動速度を設定し、印刷機本体２０の側面のスタートボタン２１を押すと、図２の（ａ）の状態で、コピーへット１０の赤外線ランプを点灯し、赤外線を印刷マスター１の上に照射しながらコピーへット１０が印刷機本体２０の左から右へ移動を開始する。これとと同時に、コピーへット１０のプレスローラーにより印刷マスターの上部からインキシートを介して卒塔婆板に圧力をかけ溶融したインキシートのインキを卒塔婆板に転写することにより印字を行う。
コピーへット１０が印刷機本体２０の右へ移動して図２の（ｂ）に示す状態で印字が終了する。印字が終了した後、印刷機本体２０の定着ボタン２２を押すとコピーへット１０が右から左へ反転を開始し、反転時に定着用の赤外線を照射しながら赤外線熱にて卒塔婆板に印字された文字を定着させ停止する。
コピーへット１０が左のスタート位置に停止後、卒塔婆板を取り出すと印刷完了となる。次の印刷用に備えて印刷機本体２０のインキシート巻取ボタン２３を押すと、印刷に使用されたインキシート３が印刷機本体２０の右の巻取部に巻き込まれ未使用のインキシートの部分を確認して停止する。この状態で、インキシート３の下に新しい印刷用の卒塔婆板をセットし、インキシート３の上に印刷マスター１をセットすることにより、次の印刷の準備が行われる。
【０００９】
本発明の感熱式印刷機では、インキシート３の溶けたインキはコピーへット１０のプレスローラーにより連続的に印刷マスターの上部からインキシートを介して卒塔婆板に圧力を加えることにより卒塔婆板に転写され、その直後に転写されたインキは凝固する。
このため鮮明な印刷をする為には、印刷マスター１とインキシート３の間に空気が入らないようにすることが必要である。印刷マスター１とインキシート３の間に空気が入った場合には、印刷マスター１に墨汁等にて書かれている文字が吸収した赤外線の熱が、インキシート３に十分に伝達されない。
またコピーへット１０には赤外線の熱が蓄積されるのでこの熱が印刷マスター１に直接熱が伝わらないようにする必要がある。
卒塔婆板に印刷された文字はインキシート３のベースがフィルムであるため、文字が平滑で光沢が有るので反射して見づらく文字に違和感がある、この文字を自然な手書き風の文字に仕上げる必要がある。
【００１０】
図３は、鮮明な印刷をする為の本発明の感熱式印刷機のコピーへット１０の構成を示す説明図である。
図３において、４１はインキシート３に塗布している感熱インキを溶融させるための熱エネルギーを発生する赤外線ランプである。４２は赤外線ランプ４１を囲むように設けられた反射鏡、４３はブレードで、反射鏡４２に蓄積されたる熱が印刷マスターに直接伝わらない役目を持っている。
４４は、溶けたインキを転写するプレスローラーである。
４５は、遮蔽板で赤外線ランプ４１による放射熱を遮断しプレスローラー４４が加熱されるのを防止する。４６は、冷風を送る冷却ファンである。４７は定着用の赤外線ランプ、４８は定着用の赤外線ランプ４７の反射板である。
４９は、印刷マスター１インキシート３にテンションを与えるスライド板である。
赤外線ランプ４１を囲む用に反射鏡４２は楕円状であり、楕円の光学的性質により赤外線ランプ４１のフィラメント（ＡＣ１００Ｖ・４５０Ｗ〜５００Ｗ）からの放射エネルギーが第２焦点に集められる。集められた放射エネルギーは瞬時に４５０°Ｃ〜５００°Ｃの熱線になる。
【００１１】
反射鏡４２のスリットから放出された４５０°Ｃ〜５００°Ｃの帯状の熱線はコピーへット１０の移動スピードを印刷スピードダイアル２４により調整し、印刷マスター１に照射する温度を変えることが出来る。
本発明の感熱式印刷機においてはインキシート３に塗布している感熱インキの融点は７０°Ｃに設定されている。
この理由として、印刷マスター１に書かれている文字が吸収する熱エネルギーの時間と、赤外線ランプ４１のフィラメント（ＡＣ１００Ｖ・４５０Ｗ〜５００Ｗ）からの放射エネルギーからプレスローラー４４までのタイミングがこの融点は７０°Ｃに一致しているからである。
尚、インキシート３に塗布している感熱インキは、融点が低いと文字がボケてしまい、融点が高いと文字がかすれる。
また、反射鏡４１の内面は赤外線で熱作用が著しい波長１〜１．１μ（ミクロン）が、反射する特殊なＡg（金）メッキ加工をする、このメッキ加工により赤外線ランプ４１のフィラメント（ＡＣ１００Ｖ・４５０Ｗ〜５００Ｗ）からの放射エネルギーに瞬時に４５０°Ｃ〜５００°Ｃの熱エネルギーが得られる。
【００１２】
鮮明な印刷をする為には、印刷マスター１とインキシート３の間に空気が入らないようにすることが必要である。
印刷マスター１とインキシート３の間に空気が入らないようにするために、スライド板４９により印刷マスター１とインキシート３にテンションを与えておき、ブレード４３によって印刷マスター１とインキシート３を密着させる。
また、ブレード４３は連続印刷した場合、反射鏡に熱が蓄積されるので印刷マスター１に直接熱が伝わるのを防止する役目を持っており、これは同時にブレード４３と反射鏡の間に冷風を送ることによりブレード４３に熱が伝わらないし冷却効果もある。
ブレード４３を使用しないで反射鏡４２に直接印刷マスター１が密着すると、反射鏡４２に蓄積された熱が印刷マスター１を通してインキシート３に伝わり、熱が印刷マスター１の文字以外の部分のインキシート３の感熱インキが溶けるために文字が性格に印字できなくなる。以上の通りブレード４３は非常に重要で有る。
反射鏡４２は印刷媒体の卒塔婆板に対して移動方向に対し６０°傾斜させる、理由としてインキシート３に塗布されているインキは速乾性であるため、溶けたインキが転写用のプレスローラー４４へ送られる前に凝固しないように、反射鏡４２を傾斜させてプレスローラー４４と反射鏡４２の間のインキシート３に余熱を与えてインキが凝固するのを防ぐようにして、インキシート３の溶けたインキは移動しながらプレスローラー４４で厚着される事により、溶けたインキの文字が卒塔婆板に転写され、その直後にインキは凝固する。
【００１３】
遮蔽板４５は赤外線ランプ４１による放射熱でプレスローラー４４が熱を受けない役目をする。もしプレスローラー４４が熱を持ってくることによりプレスローラー４４の押圧時、文字以外の部分のインキが僅かに溶けて卒塔婆板を汚してしまうのを防いでいる。
卒塔婆板に印刷された文字はインキシート３のベースがフィルムであるため、文字が平滑で光沢が有るため反射して見づらく、印刷された文字に違和感がある。
この印刷された文字を自然な手書き風の文字に仕上げるために、コピーへット１０が右から左に反転する時に定着用の赤外線ランプ４７を照射して、印字された文字を溶かして光沢を取りながら卒塔婆板に強く定着させる。
本発明の感熱式印刷機に使用する印刷マスター１には、パソコン等のプリンターで印刷した原稿を使用して印刷のマスターを作成することも可能である。又、卒塔婆の共通の文字の部分だけをあらかじめ印刷しておき、必要な箇所だけを直書き記載を行うようにして、卒塔婆の印刷マスター作成の手間を省略することも出来る。
尚、上記の説明では本発明の感熱式印刷機を卒塔婆板の印刷を行う事例について説明を行ったが、本発明は卒塔婆板の印刷に限定されるものではなく、各種の手書の文字や図形等を板や厚紙など印刷するのに使用することが可能である。
以上の説明より明らかなように本発明の感熱式印刷機は、操作の複雑なパソコン等を使用せずに、光の透過性の良い紙またはフィルム等（卒塔婆と同サイズ）に墨汁や摺り墨を使用して毛筆で直書きしたマスターを印刷機にセットし、現在使用されている卒塔婆板（専用品を必要とせず）を印刷機の指定位置にセットして印刷開始ボタンを押すだけの簡単な操作で印刷を行うことが出来る。
【産業上の利用可能性】
【００１４】
本発明の感熱式印刷機は、各種の手書の文字や図形等の印刷を行う印刷産業で利用可能である。特に卒塔婆板を作成するための印刷産業で利用する場合に効果が大である。
【図面の簡単な説明】
【００１５】
【図１】本発明の感熱式印刷機の印刷原理示す説明図である。
【図２】本発明の感熱式印刷機の具体的な構成と動作を示す説明図である。
【図３】鮮明な印刷をする為の本発明の感熱式印刷機のコピーヘットの構成を示す説明図である。
【符号の説明】
【００１６】
１・・・光の透過性の良い紙またはフィルム等の印刷マスター，
２・・・印刷マスター１の上に墨汁等の熱吸収性を有するインキで書かれた文字，
３・・・熱転写インキシート，
４・・・光透過性を有するベース，
５・・・ベース４に塗布された感熱インキ，
６・・・印刷の行われる卒塔婆板，
７・・・感熱インキ５溶融するための赤外線，
１０・・・印刷マスター１の上から赤外線７を照射するコピーへット，
２０・・・印刷機本体，
２１・・・印刷機を操作するためのスタートボタン，
２２・・・、定着ボタン，
２３・・・インキシート巻取ボタン，
２４・・・印刷スピードダイアル，
３１・・・インキシートの送り出しローラ，
３２・・・インキシートの巻き取りローラ，
４１・・・赤外線ランプ，
４２・・・赤外線ランプ４１を囲むように設けられた反射鏡，
４３・・・ブレード，
４４・・・溶けたインキを転写するプレスローラー，
４５・・・遮蔽板，
４６・・・冷風を送る冷却ファン，
４７・・・定着用の赤外線ランプ，
４８・・・定着用の赤外線ランプ４７の反射板，
４９・・・印刷マスター１とインキシート３にテンションを与えるスライド板
【図１】
2005160563.tif 000003
【図２】
2005160563.tif 000004
【図３】
2005160563.tif 000005